(57)【要約】【課題】輸送されてきた切花を店頭でそのまま陳列することができ水の入った容器に移し変える必要がなく、コンビニエンスストアなどでも手軽に陳列することができ、陳列されている切花を購入した場合でも物理的保護のため包装することなくそのまま持ち帰ることができ、輸送時にも折損防止のための処置がとくに必要でなく、しかも現地から例えば家庭の花瓶等まで切花などの植物の鮮度を保持することができる植物包装体、その袋および製造方法を提供する。【解決手段】植物２と封入ガス３を密封する容器１からなる植物包装体であって、容器１は透明部分を有し、封入ガス３は、植物２の炭酸ガスを含み、かつ容器１を持った際に容器１の形状を保持できる程度の内圧を有する。【選択図】　図１
2004115022.tif 000002
【特許請求の範囲】
【請求項１】
植物と封入ガスを密封する容器からなる植物包装体であって、前記容器は透明部分を有し、前記封入ガスは、前記植物のエチレン抑制ガスを含み、かつ前記容器を持った際に前記容器の形状を保持できる程度の内圧を有することを特徴とする植物包装体。
【請求項２】
前記容器は前記植物の１または複数が入る大きさの可撓性または柔軟性の袋であり、前記封入ガスによる膨らみ形状が円筒形、または端部に前記植物の根元側端部が入ることができる中空の把持部の付いた円錐部を有する円筒形である請求項１記載の植物包装体。
【請求項３】
前記容器はガス封入用の逆止弁を有する請求項２記載の植物包装体。
【請求項４】
前記封入ガスは前記エチレン抑制ガスである炭酸ガスと空気の混合体であり、約５〜１０％の炭酸ガスと約１〜５％の酸素ガスと残りの窒素ガスからなり、前記内圧は約１×１０５Ｐａ〜１．９６×１０５Ｐａである請求項３記載の植物包装体。
【請求項５】
前記植物は根または切断部に水を保持する保水部材を設けている請求項４記載の植物包装体。
【請求項６】
前記保水部材に保存剤を備えている請求項５記載の植物包装体。
【請求項７】
前記容器は一部に内方に向けて反射する反射鏡面を有する請求項１または請求項２記載の植物包装体。
【請求項８】
前記容器は内面が防曇処理されている請求項１または請求項２記載の植物包装体。
【請求項９】
請求項２、請求項３、請求項４、請求項５、請求項６、請求項７または請求項８記載の植物包装体に使用する袋。
【請求項１０】
入り口に逆止弁の付いた袋に植物を入れ前記入り口を密閉する工程と、前記逆止弁よりガスを充填する工程と、ガス充填後前記逆止弁の入り口をシールする工程を含む植物包装体の製造方法。
【請求項１１】
袋の入り口より植物を挿入する工程と、前記入り口にガスノズルを挿通する工程と、前記ガスノズルを前記入り口に挿通した状態で前記入り口を仮シールする工程と、前記ガスノズルを通して前記袋内にガスを充填する工程と、前記ガスの充填後前記仮シールの、前記ガスノズルを抜いた部分をポイントシールする工程を含む植物包装体の製造方法。
【発明の詳細な説明】
【０００１】
【発明の属する技術分野】
本発明は、例えば、ばら、カーネーションなどの生け花、菊などの仏花等の切花、さらには青果物や花きなどの植物を包装した植物包装体、その袋および製造方法に関するものである。
【０００２】
【従来の技術】
植物、例えば菊、カーネーション、ばら、洋らん等の切花を外国から輸入したり、国内の栽培地から店頭まで輸送する場合、輸送中は水の補給が困難であり、輸送に時間がかかるときは、鮮度維持手段を講じなければ、鮮度が落ち、しおれが目立ち、さらには枯れてくる。切花はとくに鮮度低下が著しいとされている。
【０００３】
鮮度が落ちる原因の１つは、切花によるエチレンの生成にある。エチレンは切花の老化、萎凋、落葉、落花などの生理作用を示し、切花の鮮度を保持するうえでマイナスとなる。
【０００４】
切花の鮮度を保持する手段として、従来、エチレンの発生を抑制するため、硝酸銀やチオ硫酸銀などの保存剤を切花に供給したり、炭酸ガスの濃度の高い雰囲気にさらすことや、菊花の呼吸を抑えるため低温にすることなどが知られている（例えば非特許文献参照）。
【０００５】
とくに、低温と組み合わせて貯蔵するＣＡ貯蔵方法として、ポリエチレン袋に切花および炭酸ガス発生剤を密封包装し、０℃で貯蔵するものが開示されている。これは、低温で切花の呼吸を抑えると同時にエチレン抑制ガスにより生活作用を抑えるという２段構えの貯蔵方法であり、長期間の品質保持が可能とされている。
【０００６】
【非特許文献】
「包装技術」（ＪＰＩ　Ｊｏｕｒｎａｌ　Ｖｏｌ．２６　Ｎｏ．９）」社団法人日本包装技術協会発行　千葉県農業試験場　新堀二千男　昭和６３年９月号　ｐ１１７〜ｐ１２４
「包装技術」（ＪＰＩ　Ｊｏｕｒｎａｌ　Ｖｏｌ．３２　Ｎｏ．９）」社団法人日本包装技術協会発行　ＪＡ全農（全国農業協同組合連合会）　打田宏　平成６年９月号　ｐ２０〜ｐ３０
【０００７】
【発明が解決しようとする課題】
しかし、ＣＡ貯蔵方法は植物を入れた袋を貯蔵する貯蔵庫が必要であり、また１つの袋で多くの切花を包装するものである。このため、植物の入った袋を貯蔵庫に入れて現地から販売店まで輸送する時、揺れによって切花同士が擦れ合ったり折れたりしないよう切花を束ねるなどの処置が必要であった。また店頭で陳列する場合には貯蔵庫から袋を出し、袋から切花を出して水を入れた容器に移し変える必要があり、陳列作業に手間がかかった。したがって輸送されてきた切花をそのまま例えばコンビニエンスストアなどの店頭に陳列するといった手軽な取扱いをすることができない。
【０００８】
さらに購入者が切花の１または複数を持ち帰るときは、店頭に陳列された切花を水を入れた容器から取り出して、切花を物理的に保護するため新聞紙やビニール等で包装する必要があり、しかもその時点から家で切花を花瓶に刺すまでの間、鮮度の保持ができない。
【０００９】
したがって、この発明の目的は、輸送されてきた切花を店頭でそのまま陳列することができ水の入った容器に移し変える必要がなく、コンビニエンスストアなどでも手軽に陳列することができ、陳列されている切花を購入した場合でも物理的保護のため包装することなくそのまま持ち帰ることができ、輸送時にも折損防止のための処置がとくに必要でなく、しかも現地から例えば家庭の花瓶等まで切花などの植物の鮮度を保持することができる植物包装体、その袋および製造方法を提供することである。
【００１０】
【課題を解決するための手段】
請求項１記載の植物包装体は、植物と封入ガスを密封する容器からなる植物包装体であって、前記容器は透明部分を有し、前記封入ガスは、前記植物のエチレン抑制ガスを含み、かつ前記容器を持った際に前記容器の形状を保持できる程度の内圧を有することを特徴とするものである。
【００１１】
請求項１記載の植物包装体によれば、容器内にエチレン抑制ガス例えば炭酸ガスを含むため切花等の植物からのエチレンの生成を抑制し鮮度を保持することができる。封入ガスは容器の形状を保持できる程度の内圧を有するため、容器を壁厚の薄い材料で形成でき極めて軽量にできるのでコスト安にできかつ搬送容易になるとともに植物の物理的保護が可能となり、輸送中の揺れによって容器内の植物が折れたりすることがない。容器は植物に合わせた形状にでき、例えば切花などではその大きさや本数に応じた大きさの容器とすることができるためそのまま把持または片腕に抱持することができ、持ち帰りに支障がない。さらに容器が透明部分を有するため現地から搬送されてきたものをそのまま店頭に陳列することができ、手間がかからず、花専門店に限らず例えばコンビニエンスストアなどでも手軽に扱える。
【００１２】
請求項２記載の植物包装体は、請求項１において、前記容器は前記植物の１または複数が入る大きさの可撓性または柔軟性の袋であり、前記封入ガスによる膨らみ形状が円筒形、または端部に前記植物の根元側端部が入ることができる中空の把持部の付いた円錐部を有する円筒形であるものである。
【００１３】
請求項２記載の植物包装体によれば、請求項１と同様な効果のほか、１本または数本の切花を入れた膨らみ状態の袋は圧力により保形されているので把持しやすく、また把持部を有するものは運搬容易になるうえ、切花も把持部を介して把持するので植物の揺れの抑えになる。さらに可撓性または柔軟性があるため、袋から植物を出したあとは嵩張ることなく袋を廃棄処理することができ、しかも袋に立体形状をつけるための金型が不要である。
【００１４】
請求項３記載の植物包装体は、請求項２において、前記容器がガス封入用の逆止弁を有するものである。
【００１５】
請求項３記載の植物包装体によれば、請求項２と同様な効果のほか、袋にノズルを差し込み逆止弁を通してガスを封入することによりノズルをガス漏れなく抜き取ることができるので、封入作業が容易になる。
【００１６】
請求項４記載の植物包装体は、請求項３において、前記封入ガスが前記エチレン抑制ガスである炭酸ガスと空気の混合体であり、約５〜１０％の炭酸ガスと約１〜５％の酸素ガスと残りの窒素ガスからなり、前記内圧は約１×１０５Ｐａ〜１．９６×１０５Ｐａである。
【００１７】
請求項４記載の植物包装体によれば、請求項３と同様な効果がある。
【００１８】
請求項５記載の植物包装体は、請求項４において、前記植物が根または切断部に水を保持する保水部材を設けているものである。
【００１９】
請求項５記載の植物包装体によれば、請求項４と同様な効果のほか、保水部材に含まれる水分が植物に根元または切り口から吸収されるため鮮度保持に有効である。
【００２０】
請求項６記載の植物包装体は、請求項５において、前記保水部材に保存剤を備えているものである。
【００２１】
請求項６記載の植物包装体によれば、請求項５と同様な効果のほか、例えば硝酸銀やチオ硫酸銀などを含む保存剤により鮮度をさらに保持することが可能となる。
【００２２】
請求項７記載の植物包装体は、請求項１または請求項２において、前記容器が一部に内方に向けて反射する反射鏡面を有するものである。
【００２３】
請求項７記載の植物包装体によれば、請求項１または請求項２と同様な効果のほか、反射鏡面の鏡像として袋内の切花が映るので１本の切花を挿入したものであっても陳列効果が高まる。また反射鏡面により陳列時の照明や太陽の直射日光を遮ることができ、内部の植物の温度上昇を防ぎ、劣化腐敗を防止することができる。とくに容器の略前半分が透明で略後半分が反射鏡面のとき効果が高い。
【００２４】
請求項８記載の植物包装体は、請求項１または請求項２において、前記袋が内面が防曇処理されているものである。
【００２５】
請求項８記載の植物包装体によれば、請求項１または請求項２と同様な効果のほか、植物から蒸発する水分で袋内面が曇らないので、内部が見やすく陳列効果が高まる。また水滴内での雑菌の繁殖を防ぎ腐敗を防止する。
【００２６】
請求項９記載の袋は、請求項２、請求項３、請求項４、請求項５、請求項６、請求項７または請求項８記載の植物包装体に使用するものである。
【００２７】
請求項９記載の袋によれば、請求項２、請求項３、請求項４、請求項５、請求項６、請求項７または請求項８と同様な効果がある。
【００２８】
請求項１０記載の植物包装体の製造方法は、入り口に逆止弁の付いた容器に植物を入れ前記入り口を密閉する工程と、前記逆止弁よりガスを所定圧充填する工程と、ガス充填後前記逆止弁の入り口をシールする工程を含む植物包装体の製造方法。
【００２９】
請求項１０記載の植物包装体の製造方法によれば、ノズルを容器例えば袋に挿入し、逆止弁を通して封入ガスを容器に充填し、ノズルを抜いても逆止弁によりガスが抜けないので封入ガスの充填作業が簡単であり、かつ充填後逆止弁の入り口をシールするため、ガスの漏出を確実に防止することができる。
【００３０】
請求項１１記載の植物包装体の製造方法は、袋の入り口より植物を挿入する工程と、前記入り口にガスノズルを挿通する工程と、前記ガスノズルを前記入り口に挿通した状態で前記入り口を仮シールする工程と、前記ガスノズルを通して前記袋内にガスを充填する工程と、前記ガスの充填後前記仮シールの、前記ガスノズルを抜いた部分をポイントシールする工程を含むものである。
【００３１】
請求項１１記載の植物包装体の製造方法によれば、ガスノズルを容器例えば袋の入り口に挿通しやすいため、植物を容器に挿入してガスを充填し容器を密閉する一連の工程の自動化が容易になり、量産化に適する。
【００３２】
【発明の実施の形態】
本発明の第１の実施の形態を図１から図４により説明する。この植物包装体は、透明部分のある容器１に植物２と封入ガス３を密封したものである。
【００３３】
容器１は実施の形態において、植物２の１または複数が入る程度の大きさの可撓性の袋であり、封入ガス３による膨らみ形状が円筒形である。この袋は、例えば厚み１２μｍの二軸延伸ポリエチレンテレフタレートフィルム（ＰＥＴ１２　基材フィルムの一例）と、厚み１４μｍの二軸延伸ポリビニルアルコールフィルムまたはエチレン−ビニルアルコール共重合体（ＰＶＡ（１４）またはＥＶＯＨ（（１４）　耐透気性層の一例）と、厚み１５μｍの二軸延伸ナイロンフィルム（ＮＹ（１５）　基材フィルムの一例）と、合計厚みが１４０μｍの３層型のリニア低密度ポリエチレンフィルム（ＬＬＤＰＥ（１４０））のラミネート材を素材としている。各層間の接着は例えばドライラミネート法により行う。また上記に代えてＰＥＴ（１２）／ＮＹ（１５）／ＬＬＤＰＥ（６０〜１５０）のラミネート層でもよい。これらの袋の耐圧強度は１．５〜２．０ｋｇ／ｃｍ２程度であり、植物の物理的保護を実現できる。また袋は内面または内面および外面が防曇処理されている。好ましい防曇材は例えば特殊界面活性剤である。防曇処理により植物から蒸発する水分で袋内面が曇らないので、内部が見やすく陳列効果が高まる。また水滴内での雑菌の繁殖を防ぎ腐敗を防止する。
【００３４】
植物２は特に限定はないが、生け花や仏花などの切花が好適である。また植物２の根または切断部２ａに水を保持する保水部材１６を付着するのが好ましい。保水部材１６は例えば不織布に含水させたものである。さらに保水部材１６に保存剤例えば硝酸銀やチオ硫酸銀などを具備させてもよい。
【００３５】
封入ガス３は、エチレン抑制ガスを含み、かつ容器１を持った際に容器１の形状を保持できる程度の内圧、すなわち膨らんだ袋を把持してもその膨らみ形状を保持することができる程度の内圧を有する。封入ガス３は例えばエチレン抑制ガスである炭酸ガスと空気の混合体である。封入ガス３の好適な濃度は、植物の種類にも依存するが、例えば炭酸ガス５〜１０％程度、酸素ガス１〜５％程度、残りが窒素ガスが好ましい。混合比は袋の膨らんだ状態の容積が決まっているため、分圧比で与えることができる。また袋の内圧は１ｋｇｆ／ｃｍ２（０．９８×１０５Ｐａ（パスカル））の代わりに０．３〜１．０ｋｇｆ／ｃｍ２（０．２９４×１０５Ｐａ〜０．９８×１０５Ｐａ）の炭酸ガスと空気の混合体であり、絶対圧は１．３ｋｇｆ／ｃｍ２〜２．０ｋｇｆ／ｃｍ２　（１．２７×１０５Ｐａ〜１．９６×１０５Ｐａ）が望ましいが、圧力の範囲としては１×１０５Ｐａ〜１．９６×１０５Ｐａでもよい。１×１０５Ｐａ　より低いと袋の膨らみ形状を保持できなくなり、１．９６×１０５Ｐａを超えると袋の素材の強度を保持できなくなる。
【００３６】
植物包装体の製造方法は、まず、逆止弁４の付いた袋１に植物２を封入する工程を行う。逆止弁４は図３に示すようにフィルム状の逆止弁を用いる。このフィルムは、例えばＬＬＤＰＥ（１０）／ＮＹ（２０）／ＬＬＤＰＥ（１０）からなるラミネート層を用いている。この２枚のフィルムを重ね融着し、長手方向の中央に通路５を貫通するように形成し、その一端に広幅のノズル差し込み口６を形成している。ノズル差し込み口６から距離をおいて通路５の途中に非融着部７を形成している。ノズル差し込み口６および非融着部７はヒートシール治具により融着加熱しても融着しないようにあらかじめ加工されてあり、またこれらの部位が容易に目視できるように、ノズル差し込み口６および非融着部７の少なくとも片方のフィルムの通路部分に白色顔料を多量に含有させた白色インクでパートコートするのが好ましい。この逆止弁４を袋の入り口１０に図２に示すように挿入し袋の入り口１０の片方の内面に融着している。この状態で非融着部７の位置を通るように袋の入り口にシール治具１９を当て融着シール８を行う。これにより袋はシールされるが、逆止弁４の非融着部７はシールされないので袋内外が連通したままである。
【００３７】
つぎに、逆止弁４よりガスを所定圧充填する工程を行う。逆止弁４のノズル差し込み口６に図２に示すようにノズル９を挿入し、先端を非融着部７に通し、袋内にガスを充填し所定のガス圧で充填を停止し、ノズル９を抜き取る。このとき袋は内圧により膨らみ図２に示すようにシール８の内縁からほぼ直角に折れ曲がるように立ち上がりを示して膨らみ、その折れ線が非融着部７にも延長する。このため非融着部７が閉じられガスが抜けるのを妨げる逆止作用として働く。
【００３８】
つぎに図４に示すように充填後袋の逆止弁４の入り口をシールする工程を行う。これは逆止弁４の非融着部７とノズル差し込み口６との間の部分１１を通るように袋の入り口１０にシール治具１９を当てシールしてシール部１２を形成する。これにより袋の入り口１０および逆止弁４の通路５が共にシール部１２によりシールされ袋内部が完全に密閉される。袋の入り口１０が閉じた後、入り口１０より突出した逆止弁９の部分は切除されてもよい。
【００３９】
使用形態として、植物栽培を行っている現地からの輸送時や、販売店などでの保存時に、例えば３℃程度に低温保存することにより、ＣＡ貯蔵が可能となり、貯蔵時の寿命の延長が図れる。
【００４０】
この実施の形態によれば、現地からの搬送や店頭から各家庭への運搬等の流通、店頭での陳列、および家庭での飾り付けにそのまま使用することができる。
【００４１】
この発明の第２の実施の形態を図５により説明する。第１の実施の形態において袋の逆止弁４を設けた側と反対側の端部に、植物２の根元側端部例えば切断部２ａが入ることができる中空の把持部１４の付いた円錐部１５を有する円筒形に形成している。
植物２の根元側端部としては、花の茎または茎に給水紙等巻いたものでもよい。把持部１４を有するため容器１の運搬が容易になるうえ、植物２も把持部１４を介して把持するので植物２の揺れの抑えになる。
【００４２】
この発明の第３の実施の形態の植物包装体の製造方法を図６により説明する。図（ａ）は容器１である袋の入り口１０より植物２を挿入する工程である。図（ｂ）は入り口１０にガスノズル２１を挿通する工程である。ガスノズル２１は例えば直径が３〜５ｍｍφである。図（ｃ）はガスノズル２１を挿通した状態で入り口１０に融着による仮シール２２、２３を形成し、ガスノズル２１を通して袋内にガスを充填する工程である。図（ｄ）はガスの充填後仮シール２２の、ガスノズル２１を抜いた部分に融着によるポイントシール２４を形成する工程である。図（ｅ）はシール完了を示す。
【００４３】
この実施の形態によれば、ガスノズル２１を容器１例えば袋の入り口１０に挿通しやすいため、植物２を容器１に挿入してガスを充填し容器１を密閉する一連の工程の自動化が容易になり、量産化に適する。
【００４４】
その他の実施の形態として、容器１の一部に反射面が内方に向く反射鏡面を設けている。例えば袋の前半分が透明で後半分が反射鏡面を有するものに構成する。この場合、反射鏡面の鏡像として袋内の切花が映るので１本切花であっても陳列効果が高まる。また反射鏡面は陳列時の照明や太陽の直射日光を遮ることができ、内部の植物２の温度上昇を防ぎ劣化を防止する。
【００４５】
なお、袋の透明部分は一部のみでもよいものである。また１つの袋に入れる植物は１本でも複数本でもよい。購入者は切花を複数以上購入するときは複数の袋を束ねてそのまま購入することができる。また包装体の袋から植物を取り出すため破り口を設けたり、破断用の治具を用意すると使い勝手がよい。
【００４６】
なお、この発明において、容器は予め金型により円筒形や角筒形等に成形したものでもよい。
【００４７】
【発明の効果】
請求項１記載の植物包装体によれば、容器内にエチレン抑制ガス例えば炭酸ガスを含むため切花等の植物からのエチレンの生成を抑制し鮮度を保持することができる。封入ガスは容器の形状を保持できる程度の内圧を有するため、容器を壁厚の薄い材料で形成でき極めて軽量にできるのでコスト安にできかつ搬送容易になるとともに植物の物理的保護が可能となり、輸送中の揺れによって容器内の植物が折れたりすることがない。容器は植物に合わせた形状にでき、例えば切花などではその大きさや本数に応じた大きさの容器とすることができるためそのまま把持または片腕に抱持することができ、持ち帰りに支障がない。さらに容器が透明部分を有するため現地から搬送されてきたものをそのまま店頭に陳列することができ、手間がかからず、花専門店に限らず例えばコンビニエンスストアなどでも手軽に扱える。
【００４８】
請求項２記載の植物包装体によれば、請求項１と同様な効果のほか、１本または数本の切花を入れた膨らみ状態の袋は圧力により保形されているので把持しやすく、また把持部を有するものは運搬容易になるうえ、切花も把持部を介して把持するので植物の揺れの抑えになる。さらに可撓性または柔軟性があるため、袋から植物を出したあとは嵩張ることなく袋を廃棄処理することができ、しかも袋に立体形状をつけるための金型が不要である。
【００４９】
請求項３記載の植物包装体によれば、請求項２と同様な効果のほか、袋にノズルを差し込み逆止弁を通してガスを封入することによりノズルをガス漏れなく抜き取ることができるので、封入作業が容易になる。
【００５０】
請求項４記載の植物包装体によれば、請求項３と同様な効果がある。
【００５１】
請求項５記載の植物包装体によれば、請求項４と同様な効果のほか、保水部材に含まれる水分が植物に根元または切り口から吸収されるため鮮度保持に有効である。
【００５２】
請求項６記載の植物包装体によれば、請求項５と同様な効果のほか、例えば硝酸銀やチオ硫酸銀などを含む保存剤により鮮度をさらに保持することが可能となる。
【００５３】
請求項７記載の植物包装体によれば、請求項１または請求項２と同様な効果のほか、反射鏡面の鏡像として袋内の切花が映るので１本の切花を挿入したものであっても陳列効果が高まる。また反射鏡面により陳列時の照明や太陽の直射日光を遮ることができ、内部の植物の温度上昇を防ぎ、劣化腐敗を防止することができる。とくに容器の略前半分が透明で略後半分が反射鏡面のとき効果が高い。
【００５４】
請求項８記載の植物包装体によれば、請求項１または請求項２と同様な効果のほか、植物から蒸発する水分で袋内面が曇らないので、内部が見やすく陳列効果が高まる。また水滴内での雑菌の繁殖を防ぎ腐敗を防止する。
【００５５】
請求項９記載の袋によれば、請求項２、請求項３、請求項４、請求項５、請求項６、請求項７または請求項８と同様な効果がある。
【００５６】
請求項１０記載の植物包装体の製造方法によれば、ノズルを容器例えば袋に挿入し、逆止弁を通して封入ガスを容器に充填し、ノズルを抜いても逆止弁によりガスが抜けないので封入ガスの充填作業が簡単であり、かつ充填後逆止弁の入り口をシールするため、ガスの漏出を確実に防止することができる。
【００５７】
請求項１１記載の植物包装体の製造方法によれば、ガスノズルを容器例えば袋の入り口に挿通しやすいため、植物を容器に挿入してガスを充填し容器を密閉する一連の工程の自動化が容易になり、量産化に適する。
【図面の簡単な説明】
【図１】本発明の第１の実施の形態の正面図である。
【図２】袋にガスを充填する状態の部分断面図である。
【図３】逆止弁の説明図である。
【図４】逆止弁の入り口側をシールした部分断面図である。
【図５】第２の実施の形態の正面図である。
【図６】第３の実施の形態の植物包装体の製造方法を説明する工程説明図である。
【符号の説明】
１　　容器
２　　植物
３　　封入ガス
４　　逆止弁
８　　融着シール
１０　　入り口
１２　　シール部
１６　　保水部材
２２　　シール
２４　　ポイントシール
【図１】
2004115022.tif 000003
【図２】
2004115022.tif 000004
【図３】
2004115022.tif 000005
【図４】
2004115022.tif 000006
【図５】
2004115022.tif 000007
【図６】
2004115022.tif 000008